(57)【特許請求の範囲】
【請求項１】
吸込み弁付き起立筒３下部を、該起立筒に付設した第１外向きフランジ10を介して垂設した基筒11で囲成し、該基筒の下部外面に付設した第２外向きフランジ12上面へ、上端に有する内向きフランジ13を係合させて容器体口頸部螺合用のキャップ状筒14を垂下するトリガー式の液体噴出器１と、
上記キャップ状筒14内へ、上端面を上記第２外向きフランジ12下面へ気密に圧接させて螺合させた雄ねじ筒22内から、該雄ねじ筒内面に付設した内向きフランジ23を介して連通筒24を垂下し、上記起立筒下端と連通筒とを気密に連通させた連結筒部材21と、
上記連通筒24外面へ着脱自在にかつ気密に嵌合させたノズル筒33を、可撓性に富む柔軟な合成樹脂製の袋32内から気密に起立する詰替え用液体収納容器体31と、
該液体収納容器体31を収納させて、前面開口の周壁42の上端部を上記キャップ状筒14外面へ嵌合させた有底のケース体41とからなり、
該ケース体は、前面開口部分を液体収納容器体31の出入口43とすると共に前面開口で平面Ｕ字形状をなす周壁上端内面に付設した係合突条44を、キャップ状筒14外面に穿設した第１凹溝15内へ、又周壁上部内面の左右両側に付設した係合板45,45 内端部を、上記ノズル筒外面に穿設した第２凹溝35の左右両部内へ、それぞれ嵌合させ、
上記係合突条44および係合板45,45 は、キャップ状筒14およびノズル筒33に対して、ケース体上部を前進および後退させることで第１、第２凹溝内へ着脱自在に形成した
ことを特徴とするトリガー式液体噴出容器。
【請求項２】
吸込み弁付き起立筒３下部を、該起立筒に付設した第１外向きフランジ10を介して垂設した基筒11で囲成し、該基筒の下部外面に付設した第２外向きフランジ12上面へ、上端に有する内向きフランジ13を係合させて、容器体口頸部螺合用のキャップ状筒14を垂下するトリガー式の液体噴出器１と、
上記キャップ状筒14内へ、上端面を上記第２外向きフランジ12下面へ気密に圧接させ螺合させて、上記キャップ状筒14よりも下方まで垂下させた雄ねじ筒22内から、該雄ねじ筒内面に付設した内向きフランジ23を介して連通筒24を垂下し、上記起立筒下端と連通筒とを気密に連通させた連結筒部材21と、
上記連通筒24外面へ着脱自在にかつ気密に嵌合させたノズル筒33を、可撓性に富む柔軟な合成樹脂製の袋32内から気密に起立する、詰替え用液体収納容器体31と、
該液体収納容器体31を収納させて、前面開口の周壁42上端部を、上記キャップ状筒14下方へ垂下する雄ねじ筒部分外面へ嵌合させた、有底のケース体41とからなり、
該ケース体は、前面開口部分を液体収納容器体の出入口43とすると共に、前面開口で平面Ｕ字形状をなす周壁上端内面に付設した係合突条44を、キャップ状筒下方へ垂下する雄ねじ筒部分外面に穿設した第１凹溝15内へ、又周壁上部内面の左右両側に付設した係合板45,45 内端部を上記ノズル筒33外面に穿設した第２凹溝35の左右両部内へ、それぞれ嵌合させ、
上記係合突条44および係合板45,45 は、上記雄ねじ筒22およびノズル筒33に対して、ケース体上部を前進および後退させることで第１、第２凹溝内へ着脱自在に形成した
ことを特徴とするトリガー式液体噴出容器。
【発明の詳細な説明】
【０００１】
【発明の属する技術分野】
本発明はトリガー式の液体噴出容器に関する。
【０００２】
【従来の技術】
例えば特開平10-277447 号が示すように、トリガー式の液体噴出器の下端からキャップ状筒を回動可能に垂下し、該キャップ状筒を容器体口頸部外面へ螺合させたトリガー式液体噴出容器は広く一般に用いられている。
【０００３】
【発明が解決しようとする課題】
上記従来の液体噴出容器は、容器体内液体が無くなるとそのまま廃棄されていたが、近時廃棄物増大に対する反省から、上記容器体内への液体詰替えが検討されている。しかし乍ら該液体詰替えの際に雑菌が容器体内へ入るおそれがあり、又新旧の収納液体が異る場合は容器体に残った液体と補充液体とが混合して悪影響が生ずるおそれもある。
【０００４】
本発明は詰替え用液体を収納する容器体を、可撓性に富む柔軟な合成樹脂製の袋にノズル筒を付設した構造とし、その容器体を交換することで上記液体詰替えに伴う悪影響等の発生を防止すると共に、廃棄物の量も上記可撓性に富み、柔軟なノズル筒付きの袋だけとして、その袋圧縮により小量化できるよう設けたものである。
【０００５】
【課題を解決するための手段】
第１の手段として吸込み弁付き起立筒３下部を、該起立筒に付設した第１外向きフランジ10を介して垂設した基筒11で囲成し、該基筒の下部外面に付設した第２外向きフランジ12上面へ、上端に有する内向きフランジ13を係合させて容器体口頸部螺合用のキャップ状筒14を垂下するトリガー式の液体噴出器１と、
上記キャップ状筒14内へ、上端面を上記第２外向きフランジ12下面へ気密に圧接させて螺合させた雄ねじ筒22内から、該雄ねじ筒内面に付設した内向きフランジ23を介して連通筒24を垂下し、上記起立筒下端と連通筒とを気密に連通させた連結筒部材21と、
上記連通筒24外面へ着脱自在にかつ気密に嵌合させたノズル筒33を、可撓性に富む柔軟な合成樹脂製の袋32内から気密に起立する詰替え用液体収納容器体31と、
該液体収納容器体31を収納させて、前面開口の周壁42の上端部を上記キャップ状筒14外面へ嵌合させた有底のケース体41とからなり、
該ケース体は、前面開口部分を液体収納容器体31の出入口43とすると共に前面開口で平面Ｕ字形状をなす周壁上端内面に付設した係合突条44を、キャップ状筒14外面に穿設した第１凹溝15内へ、又周壁上部内面の左右両側に付設した係合板45,45 内端部を、上記ノズル筒外面に穿設した第２凹溝35の左右両部内へ、それぞれ嵌合させ、
上記係合突条44および係合板45,45 は、キャップ状筒14およびノズル筒33に対して、ケース体上部を前進および後退させることで第１、第２凹溝内へ着脱自在に形成した。
【０００６】
第２の手段として吸込み弁付き起立筒３下部を、該起立筒に付設した第１外向きフランジ10を介して垂設した基筒11で囲成し、該基筒の下部外面に付設した第２外向きフランジ12上面へ、上端に有する内向きフランジ13を係合させて、容器体口頸部螺合用のキャップ状筒14を垂下するトリガー式の液体噴出器１と、
上記キャップ状筒14内へ、上端面を上記第２外向きフランジ12下面へ気密に圧接させ螺合させて、上記キャップ状筒14よりも下方まで垂下させた雄ねじ筒22内から、該雄ねじ筒内面に付設した内向きフランジ23を介して連通筒24を垂下し、上記起立筒下端と連通筒とを気密に連通させた連結筒部材21と、
上記連通筒24外面へ着脱自在にかつ気密に嵌合させたノズル筒33を、可撓性に富む柔軟な合成樹脂製の袋32内から気密に起立する、詰替え用液体収納容器体31と、
該液体収納容器体31を収納させて、前面開口の周壁42上端部を、上記キャップ状筒14下方へ垂下する雄ねじ筒部分外面へ嵌合させた、有底のケース体41とからなり、
該ケース体は、前面開口部分を液体収納容器体の出入口43とすると共に、前面開口で平面Ｕ字形状をなす周壁上端内面に付設した係合突条44を、キャップ状筒下方へ垂下する雄ねじ筒部分外面に穿設した第１凹溝15内へ、又周壁上部内面の左右両側に付設した係合板45,45 内端部を上記ノズル筒33外面に穿設した第２凹溝35の左右両部内へ、それぞれ嵌合させ、
上記係合突条44および係合板45,45 は、上記雄ねじ筒22およびノズル筒33に対して、ケース体上部を前進および後退させることで第１、第２凹溝内へ着脱自在に形成した。
【０００７】
【発明の実施の形態】
本発明液体噴出容器は、トリガー式の液体噴出器１と、連結筒部材21と、詰替え用液体収納容器体31と、ケース体41とからなる。
【０００８】
まず図１から図３が示す第１実施形態について述べると、トリガー式の液体噴出器１は従来多用されている公知の基本的構造のもので、液体吸上げ用の吸込み弁２付きの起立筒３前部からシリンダ４を、かつ上端から射出筒５を、それぞれ前方突出し、かつ射出筒前部に枢着させて垂下させたトリガー６の上方後部へ、上記シリンダ内へ後部を前方付勢させて嵌合させたプランジャ７前端部を係合させ、そのトリガー揺動により起立筒３下部内から容器体内へ垂設させた、図示しない吸上げパイプを介してシリンダ内へ液体を吸込み、又該シリンダ内液体を射出筒５を通って該射出筒前端のノズル８から噴出可能としている。尚９はシリンダからノズルまでの吐出路途中に設ける吐出弁である。上記起立筒３の下部からは第１外向きフランジ10を介して基筒11を垂下し、該基筒の下部に付設した第２外向きフランジ12上面へ、上端に有する内向きフランジ13を係合させて、容器体口頸部螺合用のキャップ状筒14を垂下している。該キャップ状筒の下部外面には第１凹溝15を周設している。
【０００９】
連結筒部材21は、上記キャップ状筒14内へ、上端面を第２外向きフランジ12下面へ、パッキングを介し圧接させて螺合させた雄ねじ筒22内から、該雄ねじ筒内面に付設した内向きフランジ23を介して連通筒24を、上記キャップ状筒14および雄ねじ筒22よりも下方まで垂下するものである。上記起立筒３と連通筒24とは、既述第１外向きフランジ10と、基筒11と、第２外向きフランジ12と、雄ねじ筒22上部と、内向きフランジ23とが囲成する気密空間を介して連通させる。内向きフランジ23下方の雄ねじ筒部分内面には連通筒24との間にリブ25を複数縦設しており、これ等リブにより、雄ねじ筒22に対して連通筒24が揺動しないよう設けている。連通筒24下部は小外径とし、後述ノズル筒をリブ下方突出部分の連通筒上部外面へ嵌合させることが容易であるよう設けている。
【００１０】
31は詰替え用の液体収納容器体で、該容器体は、可撓性に富む柔軟な合成樹脂製袋32の口部内へノズル筒33の下部を挿入し、該下部外面へ袋の口部内面を気密に接着させてノズル筒上部を袋口部外方へ突出している。
【００１１】
該ノズル筒上部は雄ねじ筒として、図示しない口キャップを水密に嵌合できるよう設けており、又その突出部分の下部には、上下にフランジ34を付設することで、それ等両フランジ間に第２凹溝35を周設させている。
【００１２】
ケース体41は、有底の周壁42前面を下端から上端まで大きく開口させて該開口を液体収納容器体31の出入口43とし、周壁42上部は図３が示すように開口部を前面に有する平面Ｕ字形状とし、その上端内面から係合突条44を内向きフランジ状に突設してその突条を既述第１凹溝15内へ嵌合させている。又周壁42上部の左右両側部内面からは、係合板45,45 を内方突出させて、これ等係合板内端を、既述ノズル筒33の第２凹溝35内へ嵌合させている。
【００１３】
上記係合突条44および係合板45,45 は、キャップ状筒14および連通筒24外面へ嵌合させたノズル筒33がそれぞれ有する第１、第２凹溝15,35 に対して後方へのケース体41移動により離脱でき、又前方移動により嵌合可能に形成し、キャップ状筒14に対してケース体41を下方へ、又係合突条44を第１凹溝15内へ嵌合させた状態では、係合板45に対してノズル筒33を下方へ、それぞれ抜出すことは不能としている。液体収納容器体31の袋32はケース体41内へ収納させる。
【００１４】
上記構成において、トリガー操作により起立筒３下部内が負圧化すると該起立筒と気密に連通する連通筒24内も負圧化し、すると袋32内液体がトリガー式液体噴出器１により吸上げられてそのノズルから噴出する。上記袋32は収納液体減少により収縮する。このようにして袋32内液体が無くなると、ケース体41上部を後方へ移動させることで、第１凹溝15から係合突条44を、又第２凹溝35内から係合板45を外す。次いで連通筒24からノズル筒33を下方へ引下げて外し、液体収納容器体31をケース体41内から除去し、新しい液体収納容器体31のノズル筒33を連通筒24へ気密に嵌合させ、かつ袋32をケース体内へ入れ、更に係合突条44および係合板45内端を既述第１凹溝15および第２凹溝35内へ嵌合させる。
【００１５】
図４は第２実施形態を示す。該実施形態は、キャップ状筒14を短かく設けると共に雄ねじ筒22下部を大外径化させてキャップ状筒14下方に位置させ、既述第１凹溝15をその雄ねじ筒22の下部外面へ周設した。その他構造は既述第１実施形態の場合と同一であり、よって同一部分については同一符号を付することで説明を省略する。該実施形態の場合も、詰替え用液体収納容器体31の交換は第１実施形態の場合と同様に行うことが出来る。
【００１６】
【発明の効果】
本発明は既述構成とするもので、詰替え用液体収納容器体31だけを交換すれば、トリガー式液体噴出器１と、連結筒部材21と、ケース体41とは継続使用することが出来、又上記液体収納容器体31は可撓性に富む柔軟な合成樹脂製袋32からノズル筒33を起立する構成であるから、廃棄物の量を従来に比して大巾に減少することが出来る。又係合突条44および係合板45は、請求項１の場合のキャップ状筒ないし、請求項２の場合の雄ねじ筒およびノズル筒に対してケース体41上部を前進および後退させることで、第１、第２凹溝15,35 内へ着脱自在に形成したから、連通筒24に対するノズル筒33着脱による詰替え用液体収納容器体31の交換は極めて容易である。更にケース体周壁内面に付設した係合突条44をキャップ状筒14ないし雄ねじ筒22が有する第１凹溝15内へ係合させ、又周壁上部の左右両部内面の係合板45,45 をノズル筒33が有する第２凹溝35内へ係合させたから、キャップ状筒14ないし雄ねじ筒22およびノズル筒33からケース体41上部を外さない限り、連通筒24からノズル筒33が抜け落ちするおそれは全くない。更に詰替え用液体収納容器体は使い終ったその容器体を新しい容器体に交換して、使い終った容器体を廃棄するから、従来のように使い終った柔軟性を有しない容器体を洗浄等して再使用する場合のように、洗浄不良等の理由で容器体内に残った液体が、洗浄後に容器体内へ補充した液体と混合して化学的変化等を来したり、又その液体補充の際に殺菌等が容器体内へ混入するおそれは全くない。
【図面の簡単な説明】
【図１】  本発明液体噴出容器の縦断面図である。
【図２】  主要部材の平面図である。
【図３】  図２主要部材の正面図である。
【図４】  第２実施形態で示す縦断面図である。
【符号の説明】
１…液体噴出器        ３…起立筒             14 …キャップ状筒
21…連結筒部材        31…液体収納容器体     41 …ケース体
【図１】
0003929631.tif 000002
【図２】
0003929631.tif 000003
【図３】
0003929631.tif 000004
【図４】
0003929631.tif 000005